(57)【特許請求の範囲】
【請求項１】
光源モジュールに合わせて使用するサンプルキャリアモジュールであって、
光透過材料から成る光透過エリアとサンプル観察面を有する本体と、粘着エリアと非粘着エリアとを有する粘着素子と、を備え、
前記粘着エリアが光透過材料から成る光透過エリアを有し、前記粘着エリアを前記本体へ貼着させつつ当該粘着エリアの前記光透過材料にサンプルを粘着させるように成すと共に、前記粘着素子は前記本体に剥離可能に粘着され、前記本体の前記光透過材料の下面に、前記粘着素子の前記粘着エリアの前記光透過材料と前記サンプルとを粘着させることにより、前記サンプルが前記本体の前記光透過材料と前記粘着素子の前記光透過材料の間に位置するように成したことを特徴とするサンプルキャリアモジュール。
【請求項２】
前記粘着素子は光透過素子であることを特徴とする請求項１に記載のサンプルキャリアモジュール。
【請求項３】
前記粘着素子はステッカーであることを特徴とする請求項２に記載のサンプルキャリアモジュール。
【請求項４】
前記粘着エリアは更に非光透過材料を備えることを特徴とする請求項３に記載のサンプルキャリアモジュール。
【請求項５】
画像キャプチャモジュールに合わせて使用する携帯型顕微鏡装置であって、
本体と粘着素子を備えるサンプルキャリアモジュールと、
前記本体の一側に可動的に取り付けられると同時に、ベースと光源を備える光源モジュールと、
少なくとも１つの凸レンズを備える凸レンズモジュールと、を備え、
前記本体は光透過材料から成る光透過エリアとサンプル観察面を有し、
前記粘着素子は粘着エリアと非粘着エリアを有し、前記粘着エリアは光透過材料から成る光透過エリアを有し、前記粘着エリアを前記本体へ貼着させつつ当該粘着エリアの前記光透過材料にサンプルを粘着させるように成すと共に、前記粘着素子は前記本体に剥離可能に粘着され、前記本体の前記光透過材料の下面に、前記粘着素子の前記粘着エリアの前記光透過材料と前記サンプルとを粘着させることにより、前記サンプルが前記本体の前記光透過材料と前記粘着素子の前記光透過材料の間に位置するように成し、
前記ベースは出光孔を有し、前記サンプルキャリアモジュールは前記出光孔の一側に可動的に取り付けられ、前記光源は前記ベース内に設けられ、
前記凸レンズモジュールは前記サンプル観察面に焦点を合わせると同時に、前記光源モジュールに対応して設置され、且つ前記サンプルキャリアモジュールの一側に可動的に取り付けられることを特徴とする携帯型顕微鏡装置。
【請求項６】
前記粘着素子は光透過素子であることを特徴とする請求項５に記載の携帯型顕微鏡装置。
【請求項７】
前記粘着素子はステッカーであることを特徴とする請求項５に記載の携帯型顕微鏡装置。
【請求項８】
前記粘着エリアは更に非光透過材料を備えることを特徴とする請求項５に記載の携帯型顕微鏡装置。
【請求項９】
前記サンプルキャリアモジュールの両側の光学経路に対向して設置される第１偏光片と第２偏光片を更に備えることを特徴とする請求項５に記載の携帯型顕微鏡装置。
【請求項１０】
本体はリミット部を有し、光源モジュールのベースはストッパ部を有し、サンプルキャリアモジュールと光源モジュールは、それぞれ前記リミット部と前記ストッパ部を通して互いに係合し、前記サンプルキャリアモジュール、前記光源モジュール、または凸レンズモジュールのうちの少なくとも１つは、磁性素子を備え、前記凸レンズモジュールと前記サンプルキャリアモジュールとの間は、前記磁性素子の磁力によって可動的に組み立てられ、この時、前記サンプルキャリアモジュールと前記光源モジュールとの間は相対的にスライドせず、前記サンプルキャリアモジュールと前記凸レンズモジュールとの間を相対的にスライド可能とすることを特徴とする請求項５に記載の携帯型顕微鏡装置。
【発明の詳細な説明】
【技術分野】
【０００１】
本発明は、サンプルキャリアモジュール及び携帯型顕微鏡装置に関し、特に、インテリジェント通信装置と合わせて使用するサンプルキャリアモジュール及び携帯型顕微鏡装置に関する。
【背景技術】
【０００２】
通常、従来の顕微鏡は、主に、微生物、細胞、またはいくつかの物質の微細構造を観察するために用いられている。しかしながら、観察しやすくするために、まず、検体を光が透過しやすい薄切片サンプルに加工する必要があり、その切片をスライドガラスに設置し、次に切片に少量の液体（通常は水）を入れ、最後に切片をカバーガラスで覆うことによって、顕微鏡観察用のサンプルを作成する。仮に、上記方法で製作されたサンプルを保存する場合、更にその他の材料を利用して、製作された前記サンプルを覆うことで、標本を作って保存するようにしている。
【０００３】
科学的真理の探求にあっては、随時、随所の環境下でさまざまな生物学的、非生物学的サンプル（髪、布、血液など）の微細構造やテクスチャーを観察できるようにする必要があり、そのために、各種の携帯型顕微鏡装置の設計が提案され、例えば下記の如く、特許文献１として米国特許公開第20120157160号の「Compact wide-field fluorescent imaging on a mobile device」、特許文献２として台湾特許第M444520号「携帯型高倍率顕微鏡の拡大レンズ」、特許文献３として中国特許出願第200920005757.4号「多機能顕微鏡装置」などが公知である。しかしながら、サンプルの製造方法が依然として面倒で複雑である以上、携帯型顕微鏡装置のみでは、使用上の利便性を大幅に向上させることが難しく、そのため、サンプルを随時、随所で観察できるメリットを十分に享受できる状態には至っていない。よって、随時、随所で観察できる効果を達するためには、携帯型顕微鏡装置と合わせて使用するサンプルキャリアモジュールであって、利便性に優れたものを提案する必要がある。
【先行技術文献】
【特許文献】
【０００４】
【特許文献１】米国特許公開第２０１２０１５７１６０号公報
【特許文献２】台湾特許第Ｍ４４４５２０号公報
【特許文献３】中国特許出願第２００９２０００５７５７．４号公報
【発明の概要】
【発明が解決しようとする課題】
【０００５】
上記の問題に鑑み、本発明の目的は、携帯型顕微鏡装置に合わせて使用するサンプルキャリアモジュールと、そのサンプルキャリアモジュールを具えた携帯型顕微鏡装置を提供することを課題とする。
【課題を解決するための手段】
【０００６】
上記の目的を達するために、本発明のサンプルキャリアモジュールと携帯型顕微鏡装置は画像キャプチャモジュールに合わせて使用する。携帯型顕微鏡装置はサンプルキャリアモジュールと光源モジュールと凸レンズモジュールを備える。サンプルキャリアモジュールは本体と粘着素子を備え、本体は光透過エリアとサンプル観察面を有する。粘着素子は粘着エリアと非粘着エリアとを有し、前記粘着エリアが光透過エリアを有し、前記粘着エリアを前記本体へ貼着させつつ当該粘着エリアの前記光透過エリアにサンプルを粘着させるように成すと共に、前記粘着素子は前記本体に剥離可能に粘着される。光源モジュールは本体の一側に可動的に取り付けられると同時に、ベースと光源を備える。ベースは出光孔を有し、サンプルキャリアモジュールは出光孔の一側に可動的に取り付けられる。光源はベース内に設けられる。凸レンズモジュールは少なくとも１つの凸レンズを備え、サンプルキャリアモジュールの一側に可動的に取り付けられる。凸レンズはサンプル観察面に焦点を合わせると同時に、光源モジュールに対応して設置される。検出サンプルが予め粘着素子に粘着された後、粘着素子は本体に粘着して設置され、この時、光源モジュールはサンプルキャリアモジュールの一側に沿って取り付けられる。凸レンズモジュールはサンプルキャリアモジュールのもう一側に取り付けられる。光源をオンにした後、光源モジュールから発する光線がサンプルを通過した後、凸レンズモジュールに入り、操作者は画像キャプチャモジュールによって、凸レンズモジュールの背後から前記サンプルより形成された実像を撮影することができる。
【０００７】
一実施例において、粘着素子は光透過素子であることを特徴とする。
【０００８】
一実施例において、粘着素子はステッカーであることを特徴とする。
【０００９】
一実施例において、粘着素子は光透過素子である。粘着素子はサンプル粘着面を有すると同時に、粘着面は粘着エリアと非粘着エリアを有することを特徴とする。
【００１０】
一実施例において、粘着素子は粘着エリアと非粘着エリアを有し、粘着エリアは光透過エリアと非光透過エリアを備えることを特徴とする。
【００１１】
一実施例において、粘着素子は光透過素子である。粘着素子はサンプル粘着面を有すると同時に、粘着エリアと非粘着エリアを有する。粘着エリアは観察を補助するためのパターンを有することを特徴とする。
【００１２】
一実施例において、サンプルキャリアモジュールは少なくとも１つの第１磁性素子を更に備え、第１磁性素子は本体の一側に取り付けられることを特徴とする。
【００１３】
一実施例において、サンプルキャリアモジュールは少なくとも１つの第１磁性素子を更に備え、第１磁性素子は本体の一側に設けられると同時に、光源モジュール、または凸レンズモジュールに磁性接続することを特徴とする。
【００１４】
一実施例において、光源モジュールは第２磁性素子を更に備え、第２磁性素子はベースに設けられると同時に、サンプルキャリアモジュール、または凸レンズモジュールに磁性接続することを特徴とする。
【００１５】
一実施例において、凸レンズモジュールは第３磁性素子を更に備え、第３磁性素子はサンプルキャリアモジュール、または光源モジュールに磁性接続することを特徴とする。
【００１６】
一実施例において、サンプルキャリアモジュールは本体の一側に設けられる少なくとも１つのガラスを更に備えることを特徴とする。
【００１７】
一実施例において、サンプルキャリアモジュールは本体の一側に設けられる少なくとも１つのガラスを更に備えると同時に、粘着素子はガラスに剥離可能に粘着されることを特徴とする。
【００１８】
一実施例において、本体は凸部を有し、凸部は本体の一側に設けられることを特徴とする。
【００１９】
一実施例において、ベースはリミット部を有し、サンプルキャリアモジュールはリミット部に可動的に取り付けられることを特徴とする。
【００２０】
一実施例において、携帯型顕微鏡装置は、凸レンズモジュールと画像キャプチャモジュールの相対位置を固定する１組の固定部材を更に備えることを特徴とする。
【００２１】
一実施例において、画像キャプチャモジュールは、スマートフォン、タブレットコンピュータ、ノートブックコンピュータ、運転記録器、カメラ、または自撮り画像キャプチャモジュールであることを特徴とする。
【００２２】
一実施例において、携帯型顕微鏡装置は第１偏光片と第２偏光片を更に備え、第１偏光片と第２偏光片はサンプルキャリアモジュールの両側の光学経路に対向して設置されることを特徴とする。
【発明の効果】
【００２３】
上記構成により、本発明は携帯型顕微鏡装置と合わせて使用する利便性の高いサンプルキャリアモジュール及びそのサンプルキャリアモジュールを備えた携帯型顕微鏡装置を提供し得る。
【図面の簡単な説明】
【００２４】
【図１Ａ】本発明一実施例の携帯型顕微鏡装置の分解斜視図である。
【図１Ｂ】本発明の携帯型顕微鏡装置を携帯型電子装置に合わせて使用した１つの実施例の分解斜視図である。
【図１Ｃ】本発明のもう１つの実施例の携帯型顕微鏡装置の分解斜視図である。
【図１Ｄ】本発明の携帯型顕微鏡装置を携帯型電子装置に合わせて使用したもう１つの実施例の分解斜視図である。
【図２Ａ】本発明一実施例のサンプルキャリアモジュールの斜視図である。
【図２Ｂ】図２Ａの変化態様の斜視図である。
【図２Ｃ】図２Ａのもう１つの変化態様の斜視図である。
【図３Ａ】図１Ａの粘着素子のその他の態様の平面図である。
【図３Ｂ】図１Ａの粘着素子のその他の態様の平面図である。
【図３Ｃ】図１Ａの粘着素子のその他の態様の平面図である。
【図３Ｄ】図１Ａの粘着素子のその他の態様の平面図である。
【図３Ｅ】図１Ａの粘着素子のその他の態様の平面図である。
【図４】本発明のサンプルキャリアモジュールを従来型のスライドガラスに合わせて使用した実施例の概略図である。
【発明を実施するための形態】
【００２５】
以下に本発明の実施例を図面に基づいて説明する。このうち同じ部材は同じ符号を付して説明する。
【実施例】
【００２６】
図１Ａと図１Ｂを参照されたい。図１Ａは本発明の一実施例の携帯型顕微鏡装置の分解斜視図である。図１Ｂは本発明の携帯型顕微鏡装置を携帯型電子装置に合わせて使用した一実施例の分解斜視図である。携帯型顕微鏡装置１は携帯型電子装置６０の画像キャプチャモジュール６１に合わせて使用したものである。例えば、携帯型電子装置６０は、スマートフォン、タブレットコンピュータ、ノートブックコンピュータ、運転記録器、カメラ、または自撮り棒である。携帯型顕微鏡装置１はサンプルキャリアモジュール１０と、光源モジュール２０と、凸レンズモジュール３０を備えている。
【００２７】
サンプルキャリアモジュール１０は、本体１１と粘着素子１２を備え、本体１１は粘着素子１２と検出サンプルＳを載置するためのキャリアであり、ここの本体１１は金属片を例とする。本体１１は光透過領域１１１と、凸部１１２と、リミット部材１１４と、サンプル観察面Ｌを更に有する。粘着素子１２は光透過素子であり、その光透過率は９０％以上である。粘着素子１２はステッカー、テープ、または樹脂であり、サンプル粘着面を有する。サンプル粘着面は検出サンプルＳを粘着した後、本体１１に貼り付けて観察標本を形成し、粘着素子１２は本体１１に剥離可能に粘着される。粘着素子１２の少なくとも一部は光透過領域１１１を覆うことによって、粘着素子１２をサンプル観察面Ｌに当接させる。本実施例において、光透過領域１１１は光線を通過させることのできる領域であれば良く、出光孔、または光透過性材料を用いることができる。ここでは、光透過領域１１１は通光孔を例とする。
【００２８】
光源モジュール２０はサンプルキャリアモジュール１０の本体１１の一側に可動的に取り付けられると同時に、ベース２１と、光源２２と、スイッチ２３とを備える。ベース２１内は中空状であることによって、光源２２とその他の関連回路を収容する。ベース２１は出光孔２１１とリミット部２１２を有し、リミット部２１２と出光孔２１１はベース２１の同じ側に位置する。光源２２はスイッチ２３に接続し、その発する光線は出光孔２１１によってベース２１から放射することができる。リミット部２１２は１組の溝Ｃ（図４に示す如く）を有し、サンプルキャリアモジュール１０がリミット部２１２に可動的に取り付けられた時、サンプルキャリアモジュール１０は溝Ｃに係合し、この時、凸部１１２は上記の構成に応じてスイッチ２３を押すことによって、光源２２がオンになり、光線を発する。本実施例において、光源２２から発する光線は可視光である。しかしながら、その他の実施例において、光源２２から発する光線は非可視光であり、例えば、赤外光、紫外光、またはラマン光などとすることができ、画像キャプチャモジュール６１の感光素子を光線の種類に対応して感光することができれば良い。例えば、光源２２が紫外線光の光源である場合、携帯型顕微鏡装置１は、生物学的細胞サンプルカウントの蛍光検出器に応用することができる。凸レンズモジュール３０は凸レンズ３１とレンズホルダ３２を備え、凸レンズ３１はレンズホルダ３２に嵌め込まれる。凸レンズモジュール３０はサンプルキャリアモジュール１０の一側に可動的に取り付けられ、凸レンズモジュール３０はサンプル観察面Ｌに焦点を合わせると同時に、光源モジュール２０に対応して設置される（図１Ａに示すように）。即ち、光源モジュール２０と凸レンズモジュール３０はそれぞれサンプルキャリアモジュール１０の異なる両側に取り付けられる。図１Ｂを参照されたい。本実施例において、携帯型顕微鏡装置１は、１組の固定部材３３を更に備え、固定部材３３は、レンズホルダ３２に設置されるオス型部材３３１、及び画像キャプチャモジュール６１に対応して設置されるメス型部材３３２を有する。本実施例において、オス型部材３３１とメス型部材３３２はそれぞれ互いに適合するスレッドを有し、互いにネジ止めすることによって、凸レンズモジュール３０と画像キャプチャモジュール６１の相対位置を固定する効果を有する。しかしながら、本実施例は単なる例示に過ぎず、本発明を限定するものではない。例えば、固定部材３３は、接着剤、クランプ、磁石、吸盤、ラッチを採用することもできる。図１Ｂに示すように、固定部材３３はまた、携帯電話のバックカバー、または保護ハウジングに設けることができる。
【００２９】
図１Ｃは本発明のもう１つの実施例の携帯型顕微鏡装置の分解斜視図である。図１Ｃに示すように、本体１１ａはスライドガラスである。本実施例において、操作者は単に検出サンプルＳを粘着した粘着素子１２をスライドガラスに直接貼り付け、スライドガラスをベース２１のリミット部２１２に係合すれば、検出サンプルＳの設置が完了する。
【００３０】
図１Ｄは本発明の携帯型顕微鏡装置を携帯型電子装置に合わせて使用したもう１つの実施例の分解斜視図である。図１Ｄに示すように、携帯型顕微鏡装置１は第１偏光片４０と第２偏光片５０を更に有し、第１偏光片４０と第２偏光片５０はサンプルキャリアモジュール１０の両側の光学経路に対向して設置され、複屈折特性を有する検出サンプルＳを観察する。例えば、デンプンの結晶、または昆虫の複眼である。第１偏光片４０と第２偏光片５０は線形偏光片であり、既定状況において、第１偏光片４０と第２偏光片５０の偏光軸の方向は互いに垂直とする。また、第１偏光片４０と第２偏光片５０は円偏光片、または楕円偏光片である。
【００３１】
第１偏光片４０は検出サンプルＳと画像キャプチャモジュール６１との間の光学経路に設置され、第２偏光片５０は検出サンプルＳと光源モジュール２０との間の光学経路に設置される。本実施例において、第１偏光片４０は凸レンズモジュール３０と画像キャプチャモジュール６１との間に設置されるため、第１偏光片４０を凸レンズモジュール３０に取り付けてから、合わせて画像キャプチャモジュール６１に固定し、または、第１偏光片４０を画像キャプチャモジュール６１に直接貼り付けることができる。第２偏光片５０はサンプルキャリアモジュール１０と光源モジュール２０との間に設置される。例を挙げると、第２偏光片５０は出光孔２１１に取り付け、またはサンプルキャリアモジュール１０の出光孔２１１に近い一側に貼り付けることもできる。
【００３２】
光源モジュール２０がオンになった時、仮に、第１偏光片４０と第２偏光片５０の偏光軸方向を互いに垂直にし、且つサンプルキャリアモジュール１０が複屈折特性を有しない検出サンプルＳを載置した場合、使用者は検出サンプルＳの画像を見ることができない。サンプルキャリアモジュール１０が複屈折特性を有する検出サンプルＳを載置した場合、光源２２から発する光線は、順に第２偏光片５０、検出サンプルＳ、凸レンズモジュール３０及び第１偏光片４０を通って画像キャプチャモジュール６１に達する。よって、操作者は画像キャプチャモジュール６１によって検出サンプルＳの画像を撮ることができる。また、第１偏光片４０は画像キャプチャモジュール６１に固定されることから、操作者はベース２１を回転することによって、第２偏光片５０の偏光軸角度を変え、異なる偏光軸角度の光が検出サンプルＳを通ることで、検出サンプルＳの異なる位相での構造とパターンを観察することができる。例を挙げると、偏光モードにおいて、染色を介さずにデンプン結晶の微細構造を明確に観察することができる。
【００３３】
ここで注意すべきことは、上記実施例の「可動的に取り付け」は、磁力吸着の方式により達成できることである。即ち、サンプルキャリアモジュール１０、光源モジュール２０、または凸レンズモジュール３０のうちの少なくとも１つは、磁性素子を備える。好ましい実施例において、サンプルキャリアモジュール１０は、第１磁性素子（図示しない）を備え、この時、光源モジュール２０は第１磁性素子に対応するとともに、ベース２１に設置される第２磁性素子（図示しない）を備え、またはベース２１自体が透磁性材料からなるものである。凸レンズモジュール３０は、第１磁性素子に対応するとともに、レンズホルダ３２に設置される第３磁性素子（図示しない）を備え、またはレンズホルダ３２自体が透磁性材料からなるものである。第１磁性素子が磁石である場合、第２磁性素子及び/または第３磁性素子は磁石、または磁性金属である。第２磁性素子が磁石である場合、第１磁性素子は磁石、または磁性金属であり、第３磁性素子は磁石である。第３磁性素子が磁石である場合、第１磁性素子は磁石、または磁性金属であり、第２磁性素子は磁石である。
【００３４】
上記より、本発明の携帯型顕微鏡装置１を携帯型電子装置６０に合わせて操作する時、凸レンズモジュール３０は、携帯型電子装置６０に固定され、サンプルキャリアモジュール１０と光源モジュール２０は、それぞれリミット部材１１４とストッパ部２１２を通して互いに係合し、且つ、凸レンズモジュール３０とサンプルキャリアモジュール１０との間は磁力によって可動的に組み立てられる。この時、サンプルキャリアモジュール１０と光源モジュール２０との間は相対的にスライドせず、凸レンズモジュール３０と携帯型電子装置６０との間も相対的にスライドせず、サンプルキャリアモジュール１０と凸レンズモジュール３０との間を相対的にスライド可能とすることで、携帯型顕微鏡装置１を移動し、検出サンプルＳは正確に携帯型電子装置６０のレンズ視野内に位置することができる。
【００３５】
図２Ａから図２Ｃを参照されたい。図２Ａは本発明のもう１つの実施例のサンプルキャリアモジュールの斜視図である。図２Ｂは図２Ａの変化態様の斜視図である。図２Ｃは図２Ａのもう１つの変化態様の斜視図である。図２Ａから図２Ｃにおいて、サンプルキャリアモジュール１０ａ、１０ｂ、または１０ｃの組成は、概略サンプルキャリアモジュール１０に類似する。異なる点は、サンプルキャリアモジュール１０ａ、１０ｂ、または１０ｃは、いずれも光透過素子１１３を更に備えている点である。サンプルキャリアモジュール１０ａ、１０ｂ、または１０ｃとサンプルキャリアモジュール１０の違いを分かりやすく説明するため、図２Ａから図２Ｃでは粘着素子１２の図示を省略し、粘着素子１２の説明については、後の段落で詳述する。図２Ａに示すように、サンプルキャリアモジュール１０ａにおいて、光透過素子１１３は本体１１の凸部１１２を有する側に設置される。図２Ｂに示すように、サンプルキャリアモジュール１０ｂにおいて、光透過素子１１３は本体１１の凸部１１２を有する側の反対側に設置される。図２Ｃに示すように、サンプルキャリアモジュール１０ｃにおいて、光透過素子１１３は光透過領域１１１に直接嵌め込まれる。光透過素子１１３はガラス、プラスチックフィルム、または樹脂シートである。ここで注意すべきことは、光透過素子１１３は透光性を有し、もう１つの実施例において、環境光が十分である時、光透過素子１１３は環境光の一部を引き入れることで、携帯型顕微鏡装置１が光源２２をオンにしない状況でも使用することができる。この時、画像キャプチャモジュール６１は、依然として標本を観察することができ、且つ観察された画面は暗視野効果を有する。
【００３６】
図３Ａから図３Ｅは粘着素子のその他の態様の平面図である。図３Ａから図３Ｃを参照されたい。粘着素子１２は光透過性素子であり、その光透過率は９０％以上である。粘着素子１２は粘着エリア１２１と非粘着エリア１２２を有し、粘着エリア１２１は、まず、検出サンプルＳを粘着した後、光透過素子１１３に貼り付ける。粘着エリア１２１の直径は２．５ｃｍ以下である。非粘着エリア１２２は使用者が粘着素子１２をピックアップする部分である。一実施例において、粘着エリア１２１と非粘着エリア１２２との間はハーフカット切断線Ｔ（easy tearing line）を有し、使用者が貼り付けた検出サンプルＳを保存したい場合、粘着素子１２を保存エリア（例えば、貼り付け本、またはスライドガラス）に粘着した後、非粘着エリア１２２を粘着素子１２から剥がすことができる。粘着素子１２は粘着エリア１２１に対応するエリア（粘着面、または非粘着面）において、観察を補助するために使用されるパターンＰを有する。パターンＰは印刷の方式によって形成される規則的な幾何学的パターン、または複雑なデコレータパターンである。使用者が携帯型顕微鏡装置１を使用する時、サンプルキャリアモジュール１０、１０ａ、１０ｂ、または１０ｃを調整して移動する必要があり、それによって、検出サンプルＳが画像キャプチャモジュール６１のレンズ視野に入る。しかしながら、使用者が携帯型顕微鏡装置１を通して観た場合、検出サンプルＳと画像キャプチャモジュール６１のレンズ視野との相対位置を区別しがたい、この時、パターンＰは使用者に検出サンプルＳと画像キャプチャモジュール６１のレンズ視野との相対位置を迅速に検索できるように支援することができる。例を挙げると、一実施例において、パターンＰは粘着エリア１２１の縁に沿って設置される。図３Ａに示すように、使用者が画像キャプチャモジュール６１のレンズ視野でパターンＰを見た場合、現在の画像キャプチャモジュール６１のレンズ視野が粘着エリア１２１の縁に位置することを知り、使用者は、逆方向へサンプルキャリアモジュール１０、１０ａ、１０ｂ、または１０ｃを調整することができる。別の実施例において、パターンＰは指向性パターンを（例えば、円形、星型、または十字形）有する。図３Ｂに示すように、パターンＰは十字パターンであり、粘着エリア１２１の中央部に位置し、使用者が画像キャプチャモジュール６１のレンズ視野でパターンＰを見た場合、現在の画像キャプチャモジュール６１のレンズ視野がすでに粘着エリア１２１の中央に位置合わせされていることがわかる。また、使用者は携帯型顕微鏡装置１を通して見た場合、観察された検出サンプルＳの実際のサイズを知りたがるため、もう１つの実施例において、図３Ｃに示すように、パターンＰはスケールであり、使用者は、直接、画像キャプチャモジュール６１のレンズ視野から検出サンプルＳの大きさを知ることができる。
【００３７】
また、粘着素子１２は遮光エリアに設置することによって、暗視野（dark field）シールを形成する。図３Ｄに示すように、粘着エリア１２１は光透過エリア１２４及び非光透過エリア１２３を備える。図３Ｄの実施態様において、非光透過エリア１２３はプリント黒点であると同時に、粘着エリア１２１の任意の位置に設けることができ、粘着エリア１２１の中心位置に設けなくても良く、検出サンプルＳの画像背景が暗視野の効果を呈することができれば良い。非光透過エリア１２３は、複数の分散のプリント黒点から構成される。よって、もとの全体光透過の粘着素子１２に１つ、または複数の分散したプリント黒点を設置することで遮光エリアを形成し、なるべく、屈折光線と散乱光線のみを検出サンプルＳに入射させることにより、暗視野の効果を達成し、解像度を向上させることができる。
【００３８】
もう１つの実施例において、図３Ｅに示すように、粘着エリア１２１は、光透過エリア１２６と非光透過エリア１２５を備え、非光透過エリア１２５は環状である。光透過エリア１２６は粘着エリア１２１の任意の位置に設けることができ、必ずしも、粘着エリア１２１の中心位置に設けなくても良く、検出サンプルＳの画像背景が暗視野の効果を呈することができれば良い。よって、もとの全体光透過の粘着素子１２に環状遮光エリアを設置するだけで、粘着素子１２が暗視野ステッカーになる。また、図３Ｄと図３Ｅの態様は結合して使用することができる。暗視野ステッカーの設計によって、サンプル自身と背景との間のコントラストを高める事で、より良い画像結果を取得することができる。
【００３９】
もう１つの実施例において、サンプルキャリアモジュール１０と光源モジュール２０を公知のスライドガラスに合わせて使用することで、本発明の携帯型顕微鏡装置１は従来のスライドガラスサンプルにも対応することができる。図４を参照されたい。図４は本発明のサンプルキャリアモジュールを公知のスライドガラスに合わせて使用した実施例の概略図である。図４に示すように、従来公知のスライドガラスＧはリミット部２１２に係合し、サンプルキャリアモジュール１０がリミット部２１２に可動的に取り付けられた時、サンプルキャリアモジュール１０は溝Ｃに係合する。この時、サンプルキャリアモジュール１０は従来スライドガラスＧを若干押圧し、従来公知のスライドガラスＧがリミット部２１２内において滑らないようにすることができる。本実施例において、粘着素子１２は従来公知のスライドガラスＧに合わせて使用することができ、即ち、粘着素子１２は直接、従来公知のスライドガラスＧに粘着することで、観察用のスライドガラス標本を形成することができる。
【００４０】
上記実施例は例示的なものであって、限定するためのものではない。本発明の技術的思想および範囲から逸脱することなく行われる等価の修正または変更は、いずれも別紙の特許請求の範囲に含まれる。
【産業上の利用可能性】
【００４１】
本発明は以上の如く構成したため、携帯型顕微鏡装置に使用に取り付けて用いることのできる利便性の高いサンプルキャリアモジュール及びこのサンプルキャリアモジュールを用いた携帯型顕微鏡装置としてとして好適に用いられるものである。
【符号の説明】
【００４２】
１      携帯型顕微鏡装置
１０、１０ａ、１０ｂ、１０ｃ  サンプルキャリアモジュール
１１、１１ａ  本体
１１１  光透過領域
１１２  凸部
１１３  光透過素子
１１４  リミット部材
１２    粘着素子
１２１  粘着エリア
１２２  非粘着エリア
１２３、１２５  非光透過エリア
１２４、１２６  光透過エリア
２０    光源モジュール
２１    ベース
２１１  出光孔
２２    光源
３０    凸レンズモジュール
３１    凸レンズ
４０    第１偏光片
５０    第２偏光片
６０    携帯型電子装置
６１    画像キャプチャモジュール
Ｌ      サンプル観察面
【図１Ａ】
0006585642.tif 000002
【図１Ｂ】
0006585642.tif 000003
【図１Ｃ】
0006585642.tif 000004
【図１Ｄ】
0006585642.tif 000005
【図２Ａ】
0006585642.tif 000006
【図２Ｂ】
0006585642.tif 000007
【図２Ｃ】
0006585642.tif 000008
【図３Ａ】
0006585642.tif 000009
【図３Ｂ】
0006585642.tif 000010
【図３Ｃ】
0006585642.tif 000011
【図３Ｄ】
0006585642.tif 000012
【図３Ｅ】
0006585642.tif 000013
【図４】
0006585642.tif 000014